(57)【特許請求の範囲】
【請求項１】
再生キー、録画キー、又は録音キーを有する操作手段と、
装置本体各部を制御する制御手段と、を備えた光ディスク装置において、
光ディスクがセットされる光ディスクドライブ装置のポートに第１ケーブルを介して接続される第１入出力ポートと、
ハードディスクドライブ装置のポートに第２ケーブルを介して接続される第２入出力ポートと、
映像信号に基づいて映像を表示するテレビ受像機に接続されるＯＳＤ出力部と、
光ディスクドライブ装置の型番および製造メーカを示す製造情報と、前記装置本体から前記第１ケーブルを介して該光ディスクドライブ装置に再生動作又は記録動作を行わせるためのデバイスドライバと、該光ディスクドライブ装置が扱える光ディスクの種類と、を対応付けて記憶する記憶手段と、を備え、
前記記憶手段は、前記ハードディスクドライブ装置の型番および製造メーカを示す製造情報と、前記装置本体から前記第２ケーブルを介して前記ハードディスクドライブ装置に再生動作又は記録動作を行わせるためのデバイスドライバと、を対応付けて記憶し、
前記第１入出力ポートは、インタフェース規格がＡＴＡ／ＡＴＡＰＩ−４、ＡＴＡＰＩ又はＵＳＢであり、
前記第２入出力ポートは、インタフェース規格がＡＴＡ、ＳＣＳＩ又はＵＳＢであり、
前記制御手段は、前記第１入出力ポートに光ディスクドライブ装置が接続されているか確認し、前記第１入出力ポートに光ディスクドライブ装置が接続されていることを認識すると、製造情報を返信する旨のコマンドを該光ディスクドライブ装置に送信し、該光ディスクドライブ装置から製造情報が返信されると、該製造情報に基づいて、該光ディスクドライブ装置が扱える光ディスクの種類と該光ディスクドライブ装置のデバイスドライバとを前記記憶手段から抽出し、
前記ＯＳＤ出力部は、前記制御手段が前記記憶手段から前記抽出した光ディスクの種類を示すＯＳＤ映像信号を前記テレビ受像機に出力し、
前記制御手段は、前記第２入出力ポートに光ディスクドライブ装置が接続されているか確認し、前記第２入出力ポートに前記ハードディスクドライブ装置が接続されていることを認識すると、製造情報を返信する旨のコマンドを前記ハードディスクドライブ装置に送信し、前記ハードディスクドライブ装置から製造情報が返信されると、該製造情報に基づいて、前記ハードディスクドライブ装置のデバイスドライバを前記記憶手段から抽出し、
前記制御手段は、抽出した前記デバイスドライバに基づいて、前記光ディスクドライブ装置または前記ハードディスクドライブ装置に再生動作又は記録動作を行わせる、光ディスク装置。
【請求項２】
再生キー、録画キー、又は録音キーを有する操作手段と、
装置本体各部を制御する制御手段と、を備えた光ディスク装置において、
光ディスクがセットされる光ディスクドライブ装置のポートに第１ケーブルを介して接続される第１入出力ポートと、
映像信号に基づいて映像を表示するテレビ受像機に接続されるＯＳＤ出力部と、
光ディスクドライブ装置の型番および製造メーカを示す製造情報と、前記装置本体から前記第１ケーブルを介して該光ディスクドライブ装置に再生動作又は記録動作を行わせるためのデバイスドライバと、該光ディスクドライブ装置が扱える光ディスクの種類と、を対応付けて記憶する記憶手段と、を備え、
前記制御手段は、前記第１入出力ポートに光ディスクドライブ装置が接続されているか確認し、前記第１入出力ポートに光ディスクドライブ装置が接続されていることを認識すると、製造情報を返信する旨のコマンドを該光ディスクドライブ装置に送信し、該光ディスクドライブ装置から製造情報が返信されると、該製造情報に基づいて、該光ディスクドライブ装置が扱える光ディスクの種類と該光ディスクドライブ装置のデバイスドライバとを前記記憶手段から抽出し、
前記ＯＳＤ出力部は、前記制御手段が前記記憶手段から前記抽出した光ディスクの種類を示すＯＳＤ映像信号を前記テレビ受像機に出力し、
前記制御手段は、抽出した前記デバイスドライバに基づいて、該光ディスクドライブ装置に再生動作又は記録動作を行わせる光ディスク装置。
【請求項３】
ハードディスクドライブ装置のポートに第２ケーブルを介して接続される第２入出力ポートと、
前記記憶手段は、前記ハードディスクドライブ装置の型番および製造メーカを示す製造情報と、前記装置本体から前記第２ケーブルを介して前記ハードディスクドライブ装置に再生動作又は記録動作を行わせるためのデバイスドライバと、を対応付けて記憶し、
前記制御手段は、前記第２入出力ポートに前記ハードディスクドライブ装置が接続されていることを認識すると、製造情報を返信する旨のコマンドを前記ハードディスクドライブ装置に送信し、前記ハードディスクドライブ装置から製造情報が返信されると、該製造情報に基づいて、前記ハードディスクドライブ装置のデバイスドライバを前記記憶手段から抽出し、
前記制御手段は、抽出した前記デバイスドライバに基づいて、該ハードディスクドライブ装置に再生動作又は記録動作を行わせる、請求項２に記載の光ディスク装置。
【請求項４】
前記第１入出力ポートは、インタフェース規格がＡＴＡ／ＡＴＡＰＩ−４、ＡＴＡＰＩ又はＵＳＢであり、
前記第２入出力ポートは、インタフェース規格がＡＴＡ、ＳＣＳＩ又はＵＳＢである、請求項３に記載の光ディスク装置。
【発明の詳細な説明】
【技術分野】
【０００１】
この発明は、ＤＶＤやＣＤ等の光ディスクに記録されているデータの読取やデータの記録を行うドライブ装置を、着脱可能とした光ディスク装置に関するものである。
【背景技術】
【０００２】
従来、ＣＤ、ＤＶＤ等の光ディスクに対し、映像や音声等のデータの記録、および記録されているデータの読取（再生）を行う光ディスク装置が実用化され、一般に普及している。
【０００３】
光ディスクには、記録用のＣＤ−Ｒ、ＤＶＤ−Ｒ、ＤＶＤ＋Ｒ、ＤＶＤ−ＲＡＭ、ＣＤ−ＲＷおよびＤＶＤ−ＲＷ等（以下、記録用光ディスクという。）や、再生専用のＣＤ−ＲＯＭやＤＶＤ−ＲＯＭ等（以下、再生専用光ディスクという。）といった様々な種類がある。さらに、記録用光ディスクには、ＣＤ−Ｒ、ＤＶＤ−Ｒ、及びＤＶＤ＋Ｒなどの追記型光ディスクと、ＤＶＤ−ＲＡＭ、ＣＤ−ＲＷ、ＤＶＤ＋ＲＷ、及びＤＶＤ−ＲＷなどの書換型光ディスクとがある。
【０００４】
このように、光ディスクには、非常に様々な種類が存在している。
【０００５】
一方、特許文献１に記載されたようなディスク再生装置が提案されている。
【０００６】
このディスク再生装置は、オーディオＣＤまたはビデオＣＤを再生するＣＤプレーヤと、該ＣＤプレーヤを収容する再生装置本体と、を備える。このＣＤプレーヤは、再生装置本体から取り外し可能であり、所謂ポータブルとしての使用が可能である。
【０００７】
上記ＣＤプレーヤは、オーディオＣＤを再生する場合には、再生装置本体から取り外しての使用が可能である。ビデオＣＤを再生する場合には、再生装置本体に収容して使用する。
【特許文献１】特開平９−１７１６７号公報
【発明の開示】
【発明が解決しようとする課題】
【０００８】
しかしながら、従来の光ディスク装置は、扱える光ディスクの種類が決まっている。例えば、ある光ディスク装置は、ＤＶＤ−Ｒ、ＤＶＤ−ＲＷしか記録できず、また、ある光ディスク装置は、ＤＶＤ＋Ｒ、ＤＶＤ＋ＲＷしか記録できない。
【０００９】
そのため、ユーザは、自己が所有する光ディスク装置が扱える光ディスクの種類を正確に把握した上で、光ディスクを購入、又は光ディスクを光ディスク装置にセットしなければならなかった。
【００１０】
従って、従来の光ディスク装置は、ユーザに、自己が所有する光ディスク装置が扱える光ディスクの種類を正確に把握しなければならないという煩わしさを感じさせていた。特に、ディジタル機器に不慣れなユーザであれば、自己が所有する光ディスク装置が扱える光ディスクの種類を自分で正確に把握することができず、大変な煩わしさを感じさせていた。
【００１１】
また、特許文献１において、ＣＤプレーヤは扱える光ディスクの種類がＣＤと決まっている。従って、ディスク再生装置は、扱える光ディスクの種類が決まっていることに変わりなく、上記従来の光ディスク装置と同じ問題点があった。
【００１２】
本発明はこのような従来の課題を解決しようとするものであり、汎用のドライブ装置を着脱可能とし、どのような種類の光ディスクでも扱えるようにした光ディスク装置を提供することを目的とする。
【課題を解決するための手段】
【００１３】
（１）再生キー、録画キー、又は録音キーを有する操作手段と、
装置本体各部を制御する制御手段と、を備えた光ディスク装置において、
光ディスクがセットされる光ディスクドライブ装置のポートに第１ケーブルを介して接続される第１入出力ポートと、
映像信号に基づいて映像を表示するテレビ受像機に接続されるＯＳＤ出力部と、
光ディスクドライブ装置の型番および製造メーカを示す製造情報と、前記装置本体から前記第１ケーブルを介して該光ディスクドライブ装置に再生動作又は記録動作を行わせるためのデバイスドライバと、該光ディスクドライブ装置が扱える光ディスクの種類と、を対応付けて記憶する記憶手段と、を備え、
前記制御手段は、前記第１入出力ポートに光ディスクドライブ装置が接続されているか確認し、前記第１入出力ポートに光ディスクドライブ装置が接続されていることを認識すると、製造情報を返信する旨のコマンドを該光ディスクドライブ装置に送信し、該光ディスクドライブ装置から製造情報が返信されると、該製造情報に基づいて、該光ディスクドライブ装置が扱える光ディスクの種類と該光ディスクドライブ装置のデバイスドライバとを前記記憶手段から抽出し、
前記ＯＳＤ出力部は、前記制御手段が前記記憶手段から前記抽出した光ディスクの種類を示すＯＳＤ映像信号を前記テレビ受像機に出力し、
前記制御手段は、抽出した前記デバイスドライバに基づいて、該光ディスクドライブ装置に再生動作又は記録動作を行わせる。
【００１４】
この構成において、ドライブ装置は、例えばパソコンで用いられる汎用のドライブ装置である。上記ドライブ装置のポートと上記入出力ポートとのインタフェース規格は、例えばＡＴＡ／ＡＴＡＰＩ−４、ＡＴＡＰＩ、ＵＳＢ又はSCSIである。そして、インタフェース規格がＡＴＡＰＩであれば、上記コマンドは、ＡＴＡＰＩコマンドということになる。インタフェース規格がＡＴＡＰＩであれば、ＡＴＡＰＩ規格に準拠しているので、製造情報を返信する旨のＡＴＡＰＩコマンドをドライブ装置に送信することにより、ドライブ装置から製造情報を取得することができる。
【００１５】
一方、インタフェース規格がＵＳＢであれば、上記コマンドは、ＵＳＢコマンドということになり、ＡＴＡＰＩと同様の流れで製造情報を取得することができる。SCSIについても同様である。
【００１６】
なお、上記製造情報は、上記ドライブ装置のポートと上記入出力ポートとのインタフェース規格が同一である場合に、ドライブ装置から送信されてくる。インタフェース規格が異なっている場合には、上記製造情報はドライブ装置から送信されてこない。
【００１７】
インタフェース規格がＡＴＡＰＩ又はSCSIであれば、制御手段は、一般的に、電源オン時に、入出力ポートにドライブ装置が接続されていることを認識する。
【００１８】
一方、インタフェース規格がＵＳＢであれば、制御手段は、一般的に、電源オン時又はドライブ装置を入れ替えた時に、入出力ポートにドライブ装置が接続されていることを認識する。
【００１９】
ドライブ装置のポートと光ディスク装置の入出力ポートとは、直接接続、又はインタフェースケーブルで接続される。インタフェースケーブルとは、例えばＡＴＡＰＩのケーブル、ＵＳＢのケーブル、又はSCSIのケーブルである。
【００２０】
そのため、ドライブ装置は着脱可能（取り外し可能）である。光ディスク装置の入出力ポートとインタフェース規格さえ同一であれば、どのようなドライブ装置でも、該入出力ポートに接続できる。
【００２１】
ここで、ドライブ装置自体は、扱える光ディスクの種類が決まっている。例えば、あるドライブ装置は、ＤＶＤ−Ｒ、ＤＶＤ−ＲＷしか記録できず、また、あるドライブ装置は、ＤＶＤ＋Ｒ、ＤＶＤ＋ＲＷしか記録できない。
【００２２】
しかし、光ディスク装置は、ユーザがドライブ装置を入れ替えることで、どのような種類の光ディスクでも扱えることとなる。
【００２３】
以上より、汎用のドライブ装置を着脱可能とし、どのような種類の光ディスクでも扱えるようにできる。従って、ユーザに、自己が所有する光ディスク装置が扱える光ディスクの種類を正確に把握しなければならないという煩わしさを与えることがなくなる。
（２）前記第１入出力ポートは、インタフェース規格がＡＴＡ／ＡＴＡＰＩ−４、ＡＴＡＰＩ又はＵＳＢであり、
前記第２入出力ポートは、インタフェース規格がＡＴＡ、ＳＣＳＩ又はＵＳＢである。
【００２５】
上記（１）の構成において、ドライブ装置が扱える光ディスクの種類はテレビ受像機の画面上にＯＳＤ表示される。
【００２６】
ユーザは、ドライブ装置の購入から年月が経つと、該ドライブ装置が扱える光ディスクの種類を忘れてしまうことが多い。
【００２７】
そこで、光ディスク装置は、ドライブ装置から製造情報が返信されると、該ドライブ装置が扱える光ディスクの種類をテレビ受像機で表示する。
【００２８】
以上より、ユーザは、接続されているドライブ装置が扱える光ディスクの種類を、テレビ受像機で知ることができる。
【発明の効果】
【００２９】
この発明によれば、ユーザに、自己が所有する光ディスク装置が扱える光ディスクの種類を正確に把握しなければならないという煩わしさを与えることがなくなる。
【発明を実施するための最良の形態】
【００３０】
以下、本発明の実施形態である光ディスク装置について説明する。
【００３１】
図１は、本発明の実施形態である光ディスク装置にドライブ装置を接続した概念図である。
【００３２】
光ディスク装置１は、所謂ＤＶＤレコーダであり、インタフェースの規格がＡＴＡＰＩの入出力ポート１５を備えている。そして、光ディスク装置１は、テレビジョン２００と接続されている。
【００３３】
ドライブ装置１０１は、パソコン（ＰＣ）で用いられる汎用のドライブ装置であり、インタフェースの規格がＡＴＡＰＩのポート１０５を備えている。ここで、ドライブ装置１０１は、製造情報がＡ社製の型番１００のドライブ装置である（後述の図４参照）。
【００３４】
入出力ポート１５は、ＤＶＤ１００がセットされるドライブ装置１０１のポート１０５と、ＡＴＡＰＩケーブル５０で接続されている。
【００３５】
そのため、ドライブ装置１０１は着脱可能（取り外し可能）である。光ディスク装置１の入出力ポート１５とインタフェース規格さえ同一、つまりＡＴＡＰＩであれば、どのようなドライブ装置でも、該入出力ポート１５に接続できる。
【００３６】
なお、この実施形態では、インタフェースの規格をＡＴＡＰＩとしているが、正確には、ＡＴＡＰＩは、ＡＴＡ／ＡＴＡＰＩ−４としてＡＴＡと統合されている。また、ＡＴＡＰＩでなく、ＵＳＢやＳＣＳＩでも構わない。
【００３７】
図２は、本発明の実施形態である光ディスク装置の主要な構成を示すブロック図である。
【００３８】
光ディスク装置１は、装置本体１を制御する制御部４と、再生キー、録音キーまたは録画キーが設けられている操作部５と、情報を表示する表示部７と、記憶手段である記憶部６と、映像と音声のデータをエンコード／デコードするエンコーダ／デコーダ３と、音声データをアナログの音声信号に変換する音声出力部１１に、ＯＳＤ画像を生成するＯＳＤ処理部１２と、映像データをアナログの映像信号に変換する映像出力部１３と、ＴＶ放送信号を受信してＡＶ（オーディオビジュアル）データを取得する受信部１０と、ＡＴＡＰＩケーブル５０を接続する入出力ポート１５と、を備えている。
【００３９】
図３は、ドライブ装置の主要な構成を示すブロック図である。
【００４０】
ドライブ装置１０１は、ドライブ装置１０１を制御する制御部１０２と、ＤＶＤ１００に対しデータの記録や読取を行うピックアップヘッド１０３（以下、PUヘッド１０３と称する。）と、RFアンプなどの記録再生部１０４と、ＡＴＡＰＩケーブル５０を接続するポート１０５と、を備えている。
【００４１】
なお、後述の図４で示す、製造情報がＢ社製やＣ社製のドライブ装置も、Ａ社製で型番１０２のドライブ装置も、ドライブ装置１０１と同様の構成である。
【００４２】
PUヘッド１０３は、図示しないレーザダイオード（ＬＤ）、コリメータレンズ、ビームスプリッタ、対物レンズ、フォトディテクタ、スレッドモータ、及び２軸のアクチュエータを備えている。
【００４３】
PUヘッド１０３は、ＤＶＤ１００の半径方向に延びる軸に移動自在に取り付けられている。スレッドモータが、PUヘッド１０３をＤＶＤ１００の半径方向に移動する。
【００４４】
ＬＤは、レーザ光を出力する光源であり、フォトディテクタは、複数の受光素子で形成されており、ＤＶＤ１００からの反射光を検出する。フォトディテクタは、例えば、受光領域がほぼ均等に４分割されており、４つの受光領域を形成している。
【００４５】
対物レンズは、ＤＶＤ１００に対するレーザ光の照射位置を調節する。また、２軸のアクチュエータは、対物レンズをＤＶＤ１００に接離する方向、およびＤＶＤ１００の半径方向に移動させる。
【００４６】
PUヘッド１０３は、再生時において、ＤＶＤ１００に対して読取パワーのレーザ光を照射し、ＤＶＤ１００からの反射光をフォトディテクタで検出する。これにより、ＤＶＤ１００に記録されている情報を光学的に読み出す。
【００４７】
記録再生部１０４は、再生時において、PUヘッド１０３における複数の受光素子の出力に基づいてＲＦ信号を生成し、該ＲＦ信号を増幅する。ＲＦ信号は、読取信号である。そして、記録再生部１０４は、増幅されたＲＦ信号を処理して映像と音声のデータを取り出し、出力する。
【００４８】
記録再生部１０４から出力された映像と音声のデータは、ポート１０５に接続されているＡＴＡＰＩケーブル５０を介して（図１参照）、光ディスク装置１の入出力ポート１５に入力される（図２参照）。さらに、入出力ポート１５からエンコーダ／デコーダ３に入力される。
【００４９】
図２に戻り、エンコーダ／デコーダ３は、入力された映像と音声のデータをデコードする。ここで、取り出される映像と音声のデータは、例えばＭＰＥＧでエンコードされている。そして、エンコーダ／デコーダ３は、音声データを音声出力部１１に、映像データをＯＳＤ処理部１２に、両データの同期を取りながら、それぞれ出力する。
【００５０】
なお、装置本体１に接続されているドライブ装置がデコード機能を有している場合は、映像と音声のデータがデコードされた状態でエンコーダ／デコーダ３に入力されてくる。この場合、エンコーダ／デコーダ３は、上記デコードをせずに、そのままデータを出力する。装置本体１に接続されているドライブ装置がデコード機能を有しているか否かは、後述の図４で示すデバイスドライバに記述しておき、制御部４がその記述を確認することで判断できる。ここで、ドライブ装置１０１は、図３に示すように、エンコード／デコード機能を有していない。
【００５１】
ＯＳＤ処理部１２は、ＯＳＤ画像メモリ（不図示）に記憶している設定メニュー画面等のＯＳＤ画像データを用いて、ＯＳＤ画像を生成する。ＯＳＤ処理部１２は、生成したＯＳＤ画像を、エンコーダ／デコーダ３から入力された映像データに基づく映像に重ね合わせた合成画像を生成する機能も有している。
【００５２】
ＯＳＤ処理部１２は、生成したＯＳＤ画像をエンコーダ／デコーダ３から入力された映像データに基づく映像に重ね合わせて生成した、合成画像の映像データを映像出力部１３に出力する。
【００５３】
映像出力部１３は、ＯＳＤ処理部１２から入力された映像データをアナログの映像信号に変換し、出力する。映像出力部１３には、テレビジョン２００が接続されている。映像出力部１３は、接続されているテレビジョン２００に応じた映像信号を出力する。テレビジョン２００では、映像出力部１３から入力された映像信号に基づく映像が表示される。
【００５４】
また、音声出力部１１は、エンコーダ／デコーダ３から入力された音声データをアナログの音声信号に変換し、出力する。音声出力部１１には、テレビジョン２００が接続されている。テレビジョン２００では、音声出力部１１から入力された音声信号に基づく音声が出力される。
【００５５】
一方、記録時において、受信部１０は、選択されているチャンネルに対応する周波数帯域の放送信号を抽出するチューナを有している。このチューナは、アナログ放送を受信するアナログ用のチューナであってもよいし、ディジタル放送を受信するディジタル用のチューナであってもよい。また、ディジタル用、およびアナログ用の両方のチューナを受信部１０に設けてもよい。
【００５６】
エンコーダ／デコーダ３は、受信部１０で抽出されたチャンネルで放送されている番組の映像、および音声をＤＶＤ１００に記録する形式のデータに変換する。例えば、番組の映像データ、および音声データをＭＰＥＧ２でエンコードし、出力する。
【００５７】
なお、装置本体１に接続されているドライブ装置がエンコード機能を有している場合、エンコーダ／デコーダ３は、上記エンコードをせずに、そのままデータを出力する。装置本体１に接続されているドライブ装置がエンコード機能を有しているか否かは、後述の図４で示すデバイスドライバに記述しておき、制御部４がその記述を確認することで判断できる。
【００５８】
エンコーダ／デコーダ３から出力されたエンコードデータは、入出力ポート１５に接続されているＡＴＡＰＩケーブル５０を介して（図１参照）、ドライブ装置１０１のポート１０５に入力される（図３参照）。さらに、ポート１０５から記録再生部１０４に入力される。
【００５９】
図３に進み、記録再生部１０４は、ディジタル信号をPUヘッド１０３に出力する。
【００６０】
そして、PUヘッド１０３は、記録再生部１０４からディジタル信号が入力されると、このディジタル信号に応じて記録パワーのレーザ光を制御し、ＤＶＤ１００の記録面に照射する。
【００６１】
図２に戻り、記憶部６は、例えばＥＥＰＲＯＭ、又はハードディスクで構成されている。
【００６２】
図４は、本発明の実施形態である光ディスク装置の記憶部に記憶されている内容を示す図である。
【００６３】
記憶部６は、図４に示すように、ドライブ装置の製造情報と、装置本体１から該ドライブ装置に再生動作又は記録動作を行わせるためのデバイスドライバと、該ドライブ装置が扱える光ディスクの種類と、を対応付け、表にして記憶している。製造情報は、ドライブ装置の型番や製造メーカを示す情報である。
【００６４】
また、現在設定されているドライブ装置にフラグを立てておく。現在設定されているドライブ装置は、Ａ社の型番：１００であるドライブ装置１０１である。この設定は、装置本体１の電源がオンされた後即、前回の使用時から接続されているドライブ装置１０１のデバイスドライバ（プログラムＡ）を実行し、装置本体１からドライブ装置１０１を素早く動かすことのできるようにするためである（図４の○参照、後述の図５ｓ２参照）。
【００６５】
なお、この実施形態では、製造情報をドライブ装置の型番や製造メーカを示す情報としているが、ドライブ装置の機種名や製品名でも構わない。
【００６６】
図２に戻り、表示部７は、例えば液晶パネルで構成されており、時刻、光ディスク装置１の設定状態などを表示する。
【００６７】
また、操作部５は、装置本体に対する入力操作を行う複数の操作キー（不図示）や、図示していないリモコンから送信されてきた装置本体に対する制御コードを受信するリモコン受信部（不図示）を有している。操作部５は、ユーザにより操作された操作キーに応じた制御コードや、リモコン受信部で受信した制御コードを制御部４に伝送する。
【００６８】
上記複数の操作キーの中には、ＤＶＤ１００に音声を記録する録音キー（不図示）と、ＤＶＤ１００に映像および音声を記録する録画キー（不図示）と、ＤＶＤ１００に記録されている映像や音声を再生する再生キー（不図示）とがある。
【００６９】
制御部４は、例えばマイクロコンピュータで構成されており、操作部５から伝送された制御コードに基づいて、装置本体各部の動作を制御する。
【００７０】
なお、実際のドライブ装置では、読取時や記録時に、レーザ光の照射位置を光ディスクのトラックの中心に合わせるトラッキングサーボ制御と、レーザ光の合焦位置を光ディスクの記録面に合わせるフォーカスサーボ制御と、を行っているが、本発明の実施形態では図示を省略している。
【００７１】
ここで、表示部７およびテレビジョン２００が、本発明の「表示器」に相当する。
【００７２】
図５は、本発明の実施形態である光ディスク装置の制御部が電源オン時に行う動作を示すフローチャートである。
【００７３】
ユーザによって装置本体１の電源がオンされると、制御部４は、入出力ポート１５に何らかのドライブ装置が接続されているか確認する（ｓ１）。
【００７４】
なお、この実施形態では、電源オン時に、ドライブ装置の接続を確認（認識）しているが、電源オン時に限定するものではない。再生キー、録画キー、又は録音キーが押下された時に、入出力ポート１５にドライブ装置が接続されていることを認識させてもよい。また、インタフェース規格がＵＳＢであれば、一般的に、電源オン時又はドライブ装置を入れ替えた時に、入出力ポート１５にドライブ装置が接続されていることを認識する。
【００７５】
入出力ポート１５にドライブ装置が接続されていないことを確認（認識）すると、制御部４は、本処理を終了し、ユーザからの命令を待つ、待機状態に入る。
【００７６】
入出力ポート１５にドライブ装置が接続されていることを確認（認識）すると、制御部４は、現在接続されているドライブ装置が、現在設定されているドライブ装置（この実施形態ではドライブ装置１０１）であるか否か確認する（ｓ２）。この確認は、製造情報を返信する旨のＡＴＡＰＩコマンドを接続されているドライブ装置に送信し、該ドライブ装置から返信される製造情報が、記憶部６の表においてフラグが立っている行の製造情報（図４の○参照）と、一致するか否かにより行う。
【００７７】
ここで、制御部４の製造情報の取得方法について、図２及び図３を用いて具体的に説明する。制御部４は、図２に示すように、製造情報を返信する旨のＡＴＡＰＩコマンドを生成し、入出力ポート１５に出力する。該ＡＴＡＰＩコマンドは、入出力ポート１５、ＡＴＡＰＩケーブル５０、及びポート１０５を順に介して制御部１０２に入力される（図３参照）。すると、制御部１０２は、ＡＴＡＰＩ規格に準拠しているので該ＡＴＡＰＩコマンドを受け付け、内蔵のメモリ（不図示）に記憶している自己の製造情報をポート１０５に出力する。該製造情報は、ポート１０５、ＡＴＡＰＩケーブル５０、及び入出力ポート１５を順に介して制御部４に入力される。これにより、制御部４は、製造情報を取得する。
【００７８】
なお、上記製造情報は、ドライブ装置のポートと上記入出力ポート１５とのインタフェース規格が同一である場合に、ドライブ装置から送信されてくる。インタフェース規格が異なっている場合には、上記製造情報はドライブ装置から送信されてこない。
【００７９】
両製造情報が一致すれば、つまり、現在接続されているドライブ装置が現在設定されているドライブ装置１０１と同じであれば、制御部４は、本処理を終了し、ユーザからの命令を待つ、待機状態に入る。
【００８０】
なお、この際、制御部４は、後述のｓ４のようにドライブ装置１０１が対応する光ディスクの種類をテレビジョン２００にＯＳＤ表示させた後、待機状態に入ってもよい。
【００８１】
これにより、装置本体１の電源がオンされた後即ユーザからの命令があっても、前回の使用時から設定されているドライブ装置１０１のデバイスドライバ（プログラムＡ）を実行するだけなので、後述のｓ３からｓ６の処理が無い分、装置本体１からドライブ装置１０１を素早く動かすことができる（図４の○参照）。
【００８２】
一方、両製造情報が一致しなければ、つまり、現在接続されているドライブ装置が現在設定されているドライブ装置１０１でなければ、制御部４は、返信された製造情報に基づいて、記憶部６の表（図４参照）から接続されているドライブ装置のデバイスドライバと、該ドライブ装置が扱える光ディスクの種類と、を抽出する（ｓ３）。例えば、返信された製造情報がＢ社の型番：１０１であれば、プログラムＢと、光ディスクの種類（ＤＶＤ＋Ｒ、ＤＶＤ＋ＲＷ、及び再生専用光ディスク）と、を抽出する。
【００８３】
制御部４は、抽出した光ディスクの種類をテレビジョン２００にＯＳＤ表示させる旨の制御信号をＯＳＤ処理部１２に伝送し（ｓ４）、光ディスクの種類をテレビジョン２００にＯＳＤ表示させる。例えば、返信された製造情報がＢ社の型番：１０１であれば、光ディスクの種類として、ＤＶＤ＋Ｒ、ＤＶＤ＋ＲＷ、及び再生専用光ディスクを、テレビジョン２００にＯＳＤ表示させる。
【００８４】
以上より、ユーザは、接続されているドライブ装置が扱える光ディスクの種類を、テレビジョン２００で知ることができる。
【００８５】
なお、この実施形態では、表示器としてテレビジョン２００に対応メディア（ｓ４で抽出した光ディスクの種類）を表示させたが、表示部７において表示させても良い。
【００８６】
次に、制御部４は、現在接続されているドライブ装置を記憶部６に設定する（ｓ５）。具体的には、現在接続されているドライブ装置にフラグを立てる（図４参照）。例えば、返信された製造情報がＢ社の型番：１０１であれば、プログラムＡの右セルのフラグを下げ、同じ行（プログラムＢの右のセル）に、フラグを立てる（図４参照）。次回の電源オン時では、このフラグが立っている行の製造情報を基に、ｓ２の判断が行われる。
【００８７】
制御部４は、抽出したデバイスドライバを設定して（ｓ６）、本処理を終了し、ユーザからの命令を待つ、待機状態に入る。例えば、返信された製造情報がＢ社の型番：１０１であれば、プログラムＡを設定から外し、プログラムＢを設定する。
【００８８】
そして、操作部５の再生キー、録画キー、又は録音キーが押下されると、制御部４は、設定したデバイスドライバに基づいて、装置本体１からドライブ装置に再生動作又は記録動作を行わせる。
【００８９】
以上のように、制御部４は、ユーザがドライブ装置を入れ替えたとしても、装置本体１からドライブ装置に再生動作又は記録動作を行わせることができる。
【００９０】
ここで、ドライブ装置自体は、扱える光ディスクの種類が決まっている。例えば、Ａ社型番：１００のドライブ装置１０１は、図４に示すように、ＤＶＤ−Ｒ、ＤＶＤ−ＲＷしか記録できず、また、Ｂ社型番：１０１のドライブ装置は、ＤＶＤ＋Ｒ、ＤＶＤ＋ＲＷしか記録できない。また、Ｃ社型番：１０３のドライブ装置は、ＤＶＤ−ＲＡＭしか記録できない。
【００９１】
しかし、光ディスク装置１は、ユーザがドライブ装置を入れ替えることで、どのような種類の光ディスクでも扱えることとなる。例えば、Ａ社型番：１００のドライブ装置１０１と、Ｂ社型番：１０１のドライブ装置と、Ｃ社型番：１０３のドライブ装置と、をユーザが入れ替えることで、光ディスク装置１は、ＤＶＤ−ＲＡＭ、ＤＶＤ−Ｒ、ＤＶＤ−ＲＷ、ＤＶＤ＋Ｒ、及びＤＶＤ＋ＲＷの全てに記録することができる。
【００９２】
このように、汎用のドライブ装置を着脱可能とすることで、光ディスク装置１は、どのような種類の光ディスクでも扱うことができる。従って、ユーザに、自己が所有する光ディスク装置１が扱える光ディスクの種類を正確に把握しなければならないという煩わしさを与えることがなくなる。
【００９３】
なお、この実施形態では、ＡＴＡＰＩコマンドを用いて製造情報を取得しているが、インタフェース規格がＵＳＢであれば、ＵＳＢコマンドを用いることになり、ＡＴＡＰＩと同様の流れで製造情報を取得することができる。SCSIについても同様である。
【００９４】
以下、本発明の他の実施形態である光ディスク装置について説明する。
【００９５】
図６は、同光ディスク装置にドライブ装置を接続した概念図である。
【００９６】
光ディスク装置２１は、光ディスク装置１と比し、インタフェースの規格がＡＴＡの入出力ポート１６を備えている点で異なる。
【００９７】
ハードディスク（ＨＤ）ドライブ装置５１は、パソコン（ＰＣ）で用いられる汎用のＨＤドライブ装置であり、インタフェースの規格がＡＴＡのポート５２を備えている。ＨＤドライブ装置５１は、ハードディスクに磁気ヘッドをアクセスさせ、該ハードディスクに対して、データの記録および記録されているデータの読取を行う。
【００９８】
入出力ポート１６は、ＨＤドライブ装置５１のポート５２と、ＡＴＡケーブル６０で接続されている。
【００９９】
そして、光ディスク装置２１の記憶部６に、ＨＤドライブ装置の製造情報と、装置本体１から該ＨＤドライブ装置に再生動作又は記録動作を行わせるためのデバイスドライバと、を対応付け、表にして記憶させる。
【０１００】
以上より、ＨＤドライブ装置５１は着脱可能（取り外し可能）である。光ディスク装置１の入出力ポート１６とインタフェース規格さえ同一、つまりＡＴＡであれば、どのようなＨＤドライブ装置でも、該入出力ポート１６に接続できる。
【０１０１】
なお、この実施形態では、インタフェースの規格をＡＴＡとしているが、ＵＳＢやSCSIでも構わない。
【図面の簡単な説明】
【０１０２】
【図１】本発明の実施形態である光ディスク装置にドライブ装置を接続した概念図
【図２】本発明の実施形態である光ディスク装置の主要な構成を示すブロック図
【図３】ドライブ装置の主要な構成を示すブロック図
【図４】本発明の実施形態である光ディスク装置の記憶部に記憶されている内容を示す図
【図５】本発明の実施形態である光ディスク装置の制御部が電源オン時に行う動作を示すフローチャート
【図６】本発明の他の実施形態である光ディスク装置にドライブ装置を接続した概念図
【符号の説明】
【０１０３】
１−光ディスク装置
３−エンコーダ／デコーダ
４−制御部
５−操作部
６−記憶部
７−表示部
１０−受信部
１１−音声出力部
１２−ＯＳＤ処理部
１３−映像出力部
１５−入出力ポート
１６−入出力ポート
２１−光ディスク装置
５０−ＡＴＡＰＩケーブル
５１−ハードディスクドライブ装置
５２―ポート
６０−ＡＴＡケーブル
１００−ＤＶＤ
１０１−ドライブ装置
１０２−制御部
１０３−ピックアップヘッド
１０４−記録再生部
１０５−ポート
２００−テレビジョン
【図１】
0004655808.tif 000002
【図２】
0004655808.tif 000003
【図３】
0004655808.tif 000004
【図４】
0004655808.tif 000005
【図５】
0004655808.tif 000006
【図６】
0004655808.tif 000007